(57)【要約】【課題】使用者にとって使い勝手の良い複合機の提供。【解決手段】本発明の複合機では、原稿検知センサーや接続検知部から得られる情報に基づき、予め用意された複数種類の動作モードの中から一つを選択するモード切替処理をＣＰＵが実行する。そのモード切替処理が実行されることにより、外部メモリが接続され、原稿が配置されている場合（Ｓ２２０：ＹＥＳ、Ｓ２６０：ＹＥＳ）、スキャントゥメモリモードへ、外部メモリが接続され、原稿が配置されていない場合（Ｓ２２０：ＮＯ、Ｓ２３０：ＹＥＳ）、ダイレクトプリントモードへと自動で切り替える。さらに、外部メモリが接続されておらず、原稿が配置されている場合（Ｓ２２０：ＹＥＳ、Ｓ２６０：ＮＯ）、ユーザー規定モードへ、外部メモリが接続されておらず、原稿が配置されていない場合（Ｓ２２０：ＮＯ、Ｓ２３０：ＮＯ）、デフォルトモードへと自動で切り替える。【選択図】図６
2007251781.tif 000002
【特許請求の範囲】
【請求項１】
画像情報を読み出すモード、画像情報を書き込むモード、及び画像情報を印刷するモードのうち、少なくともいずれか二つを有する複合機であって、
モードに応じた操作環境を提供する操作部と、
前記画像情報を読み出すモード、あるいは、前記画像情報を書き込むモードに用いる媒体の有無を検知する検知手段と、
前記検知手段による検知結果に基づいて、前記操作部が提供する操作環境を切り替える切替手段と、
を備えることを特徴とする複合機。
【請求項２】
前記検知手段が前記媒体を検知した場合、前記切替手段は、前記操作部が提供する操作環境を、検知された媒体を用いるモードである検知時モードに対応した操作環境に切り替えることを特徴とする請求項１に記載の複合機。
【請求項３】
前記検知手段が前記媒体が無いことを検知した場合、前記切替手段は、前記操作部が提供する操作環境を、予め設定されたモードである非検知時モードに対応した操作環境に切り替えることを特徴とする請求項１または請求項２に記載の複合機。
【請求項４】
前記検知時モードが複数存在する場合、前記切替手段は、前記操作部が提供する操作環境を、当該複数の検知時モードの一つであって、予め設定されたモードである媒体利用モードに対応した操作環境に切り替えることを特徴とする請求項１ないし請求項３のいずれかに記載の複合機。
【請求項５】
前記媒体は、原稿及び外部記憶装置であり、
原稿が載置される載置部と、
外部記憶装置が装着される装着部と、をさらに備え、
前記検知手段は、
前記載置部に載置される原稿の有無を検知する原稿検知手段と、
前記装着部に装着される外部記憶装置の有無を検知する外部記憶装置検知手段と、
を有することを特徴とする請求項１ないし請求項４のいずれかに記載の複合機。
【請求項６】
前記原稿検知手段が原稿を検知し、かつ前記外部記憶装置検知手段が外部記憶装置を検知した場合、前記切替手段は、前記操作部が提供する操作環境を、原稿から読み出した画像情報を外部記憶装置に書き込む処理を実行するモードである第一モードに対応した操作環境に切り替えることを特徴とする請求項５に記載の複合機。
【請求項７】
前記原稿検知手段が原稿を非検知であり、かつ前記外部記憶装置検知手段が外部記憶装置を検知した場合、前記切替手段は、前記操作部が提供する操作環境を、外部記憶装置から読み出した画像情報を印刷媒体に印刷する処理を実行するモードである第二モードに対応した操作環境に切り替えることを特徴とする請求項５または請求項６に記載の複合機。
【請求項８】
前記原稿検知手段が原稿を検知し、かつ前記外部記憶装置検知手段が外部記憶装置を非検知である場合、前記切替手段は、前記操作部が提供する操作環境を、原稿から画像情報を読み出す処理を実行するモードである第三モードに対応した操作環境に切り替えることを特徴とする請求項５ないし請求項７のいずれかに記載の複合機。
【請求項９】
原稿からの画像情報を読み出す複数のモードのうち、いずれか一つを前記第三モードとして設定する第一設定手段を備えることを特徴とする請求項８に記載の複合機。
【請求項１０】
前記原稿検知手段が原稿を非検知であり、かつ前記外部記憶装置検知手段が外部記憶装置を非検知である場合、前記切替手段は、前記操作部が提供する操作環境を、予め設定された第四モードに対応した操作環境に切り替えることを特徴とする請求項５ないし請求項９のいずれかに記載の複合機。
【請求項１１】
前記複数のモードのうち、いずれか一つを前記第四モードとして設定する第二設定手段を備えることを特徴とする請求項１０に記載の複合機。
【請求項１２】
前記検知手段は、前記装着部に装着された外部記憶装置に格納される画像情報の有無を検知する格納検知手段を備え、
前記原稿検知手段が原稿を非検知であり、かつ前記格納検知手段が画像情報を非検知である場合、前記切替手段は、前記操作部が提供する操作環境を、原稿から読み出した画像情報を外部記憶装置に書き込む処理を実行するモードである第一モードに対応した操作環境に切り替えることを特徴とする請求項５ないし請求項１１のいずれかに記載の複合機。
【請求項１３】
画像情報を読み出すモード、画像情報を書き込むモード、及び画像情報を印刷するモードのうち、少なくともいずれか二つを有する複合機であって、
装着部に装着される外部記憶装置の有無を検知する外部記憶装置検知手段と、
前記外部記憶装置検知手段による検知結果に基づいて、少なくともいずれか一つのモードを実行するように制御する制御手段と、
を備えることを特徴とする複合機。
【請求項１４】
画像情報を読み出すモード、画像情報を書き込むモード、及び画像情報を印刷するモードのうち、少なくともいずれか二つを有する複合機であって、
載置部に載置される原稿の有無を検知する原稿検知手段と、
前記原稿検知手段による検知結果に基づいて、少なくともいずれか一つのモードを実行するように制御する制御手段と、
を備えることを特徴とする複合機。
【発明の詳細な説明】
【技術分野】
【０００１】
本発明は、スキャナモード、コピーモード等の複数のモードを有する複合機に関する。
【背景技術】
【０００２】
従来より、原稿に記録された画像情報を読み取るスキャナモードや用紙等の印刷媒体に画像情報を印刷するコピーモード（プリンタモード）、電話回線により画像情報を通信するファクシミリモードのような複数種類のモードを有した画像形成装置、いわゆる複合機が知られている（例えば、特許文献１参照）。
【０００３】
この複合機は、複数のモードの中から一つのモードを選択し、選択されたモードを用いて複合機を動作させるものであり、使用者がモードを選択するために押下されるモード切替ボタンを備えている。
【特許文献１】特開２００５−８６２６６号公報
【発明の開示】
【発明が解決しようとする課題】
【０００４】
ところが、従来の複合機では、原稿を載置する等の使用者の行動から、使用者が望む動作モードを推測できる場合であっても、使用者が望むモードを実行するためには、使用者はモードを選択するためのモード切替ボタンを押下する等の操作が必要となり、使い勝手が悪いという問題があった。
【０００５】
そこで、本発明は、使用者にとって使い勝手の良い複合機の提供を目的とする。
【課題を解決するための手段】
【０００６】
上記目的を達成するためになされた請求項１に記載の複合機は、画像情報を読み出すモード、画像情報を書き込むモード、及び画像情報を印刷するモードのうち、少なくともいずれか二つを有するものであり、操作部がモードに応じた操作環境を提供し、検知手段が、画像情報を読み出すモード、あるいは、画像情報を書き込むモードに用いる媒体の有無を検知し、切替手段が検知手段の検知結果に基づいて、操作部が提供する操作環境を切り替える。
【０００７】
したがって、このように構成された複合機によれば、媒体の有無に基づき、操作部が提供する操作環境を自動的に切り替えるため、使用者がモードを切り替えるためのモード切替ボタン等の操作をすることなく、複合機を使用者が望むモードに応じた操作環境にすることができる。この結果、使用者にとって使い勝手の良い複合機とすることができる。
【０００８】
なお、モードに応じた操作環境を提供する操作部は、上記モード切替ボタン、設定ボタン、スタートボタン等の各種操作ボタンや、液晶ディスプレイ等の表示パネルが考えられる。
【０００９】
また、請求項２に記載の複合機のように、検知手段が媒体を検知した場合、切替手段は、操作部が提供する操作環境を、検知された媒体を用いるモードである検知時モードに対応した操作環境に切り替えるものでも良い。
【００１０】
これにより、本発明の複合機によれば、画像情報の読み込みまたは書込みが可能な媒体を検知手段が検知した場合、利用される可能性の高い検知時モードに対応した操作環境へと自動で切り替えるため、使用者が行う切り替え操作を省略することができる。
【００１１】
なお、請求項３に記載の複合機のように、検知手段が媒体が無いことを検知した場合、切替手段は、操作部が提供する操作環境を、予め設定されたモードである非検知時モードに対応した操作環境に切り替えるものでも良い。
【００１２】
つまり、本発明の複合機によれば、媒体が無い場合には、次に実行されるモードを予測することが困難であるため、予め設定された非検知時モードに対応した操作環境に切り替えることにより、次の動作への移行をスムーズにすることができる。
【００１３】
さらに、請求項４に記載された複合機のように、検知時モードが複数存在する場合、切替手段は、操作部が提供する操作環境を、当該複数の検知時モードの一つであって、予め設定されたモードである媒体利用モードに対応した操作環境に切り替えるものであることが望ましい。
【００１４】
このような本発明の複合機によれば、検知手段の検知結果に基づき、複数の検知時モードの中から、利用される可能性の高い媒体利用モードに対応した操作環境へと自動で切り替えるため、使用者が行う切り替え操作を省略することができる。
【００１５】
なお、媒体は、原稿及び外部記憶装置であることから、請求項５に記載の複合機のように、原稿が載置される載置部と、外部記憶装置が装着される装着部と、を備え、検知手段は、載置部に載置される原稿の有無を原稿検知手段が検知し、装着部に装着される外部記憶装置の有無を外部記憶装置検知手段が検知するものであることが望ましい。
【００１６】
このように構成された本発明の複合機によれば、原稿の有無もしくは外部記憶装置の有無に基づいて、モードに対応した操作環境に切り替えることができる。
また、請求項６に記載の複合機は、原稿検知手段が原稿を検知し、かつ外部記憶装置検知手段が外部記憶装置を検知した場合、切替手段は、操作部が提供する操作環境を、原稿から読み出した画像情報を外部記憶装置に書き込む処理を実行するモードである第一モードに対応した操作環境に切り替えるものである。
【００１７】
つまり、本発明の複合機では、載置部に原稿が載置された状態、かつ外部記憶装置が装着された状態である場合には、原稿及び外部記憶装置の両方を用いる第一モードが利用される可能性が高いため、第一モードに対応する操作環境へと自動で切り替える。このため、本発明の複合機によれば、モードを切り替えるための操作を省略可能なため、利便性を向上させることができる。
【００１８】
なお、このような状態には、原稿検知手段が原稿を検知している時に、外部記憶装置検知手段が外部記憶装置を非検知から検知へと変化した（即ち、使用者が外部記憶装置を装着した）状態、または、外部記憶装置検知手段が外部記憶装置を検知している時に、原稿検知手段が原稿を非検知から検知へと変化した（即ち、使用者が原稿を載置した）状態がある。
【００１９】
また、請求項７に記載の複合機は、原稿検知手段が原稿を非検知であり、かつ外部記憶装置検知手段が外部記憶装置を検知した場合、切替手段は、操作部が提供する操作環境を、外部記憶装置から読み出した画像情報を印刷媒体に印刷する処理を実行するモードである第二モードに対応した操作環境に切り替えるものである。
【００２０】
つまり、本発明の複合機では、原稿が載置されていない状態、かつ外部記憶装置が装着された状態である場合には、外部記憶装置のみを用いる第二モードが利用される可能性が高いため、第二モードに対応した操作環境へと自動で切り替える。このため、本発明の複合機によれば、モードを切り替えるための操作を省略可能なため、利便性を向上させることができる。
【００２１】
なお、このような状態には、原稿検知手段が原稿を非検知である時に、外部記憶装置検知手段が外部記憶装置を非検知から検知へと変化した（即ち、使用者が外部記憶装置を装着した）状態、または、外部記憶装置検知手段が外部記憶装置を検知している時に、原稿検知手段が原稿を検知から非検知へと変化した（即ち、使用者が原稿を取り除いた）状態がある。
【００２２】
また、請求項８に記載の複合機は、原稿検知手段が原稿を検知し、かつ外部記憶装置検知手段が外部記憶装置を非検知である場合、切替手段は、操作部が提供する操作環境を、原稿からの画像情報を読み出す処理を実行するモードである第三モードに対応した操作環境に切り替えるものである。
【００２３】
つまり、本発明の複合機では、原稿が載置された状態、かつ外部記憶装置が装着されていない状態である場合には、原稿のみを用いるモードが利用される可能性が高いため、第三モードに対応した操作環境へと自動で切り替える。このため、本発明の複合機によれば、モードを切り替える操作を省略可能なため、利便性を向上させることができる。
【００２４】
なお、このような状態には、原稿検知手段が原稿を検知している時に、外部記憶装置検知手段が外部記憶装置を検知から非検知へと変化した（即ち、使用者が外部記憶装置を取り外した）状態、または、外部記憶装置検知手段が外部記憶装置を非検知である時に、原稿検知手段が原稿を非検知から検知へと変化した（即ち、使用者が原稿を載置した）状態がある。
【００２５】
ただし、この第三モードは、原稿から画像情報を読み出す処理を実行するモードではあるものの、原稿のみを用いるモードであるため、第一モードとは、異なるものである。さらに、第三モードは、原稿のみを用いるモードであるため、第二モードとは、異なるモードである。
【００２６】
そして、請求項９に記載の複合機のように、原稿からの画像情報を読み出す複数のモードのうち、いずれか一つを前記第三モードとして設定する第一設定手段を備えることが望ましい。
【００２７】
このように構成された本発明の複合機によれば、当該複合機の使用者らにより、第三モードを設定することができる。このため、当該複合機の使用者が頻繁に使用するモードを第三モードとすることができ、利便性を向上させることができる。
【００２８】
また、請求項１０に記載の複合機は、原稿検知手段が原稿を非検知であり、かつ外部記憶装置検知手段が外部記憶装置を非検知である場合、切替手段は、操作部が提供する操作環境を、予め設定された第四モードに対応した操作環境に切り替える。
【００２９】
つまり、原稿が載置されていない状態、かつ外部記憶装置が装着されていない状態である場合には、次に実行されるモードを予測することが困難である。このため、本発明の複合機によれば、予め設定された第四モードに対応した操作環境に自動で切り替えることにより、次の動作への移行をスムーズにすることができる。
【００３０】
なお、このような状態には、原稿検知手段が原稿を非検知である時に、外部記憶装置検知手段が外部記憶装置を検知から非検知へと変化した（即ち、使用者が外部記憶装置を取り外した）状態、または、外部記憶装置検知手段が外部記憶装置を非検知である時に、原稿検知手段が原稿を検知から非検知へと変化した（即ち、使用者が原稿を取り除いた）状態がある。
【００３１】
そして、請求項１１に記載の複合機のように、複数のモードのうち、いずれか一つを第四モードとして設定する第二設定手段を備えることが望ましい。
このように構成された本発明の複合機によれば、当該複合機の使用者らにより、第四モードを設定することができる。このため、当該複合機の使用者が頻繁に使用するモードを第四モードとすることができ、利便性を向上させることができる。
【００３２】
なお、請求項１２に記載の複合機のように、検知手段の格納検知手段が装着部に装着された外部記憶装置に格納される画像情報の有無を検知し、原稿検知手段が原稿を非検知であり、かつ格納検知手段が画像情報を非検知である場合、切替手段は、操作部が提供する操作環境を、原稿から読み出した画像情報を外部記憶装置に書き込む処理を実行するモードである第一モードに対応した操作環境に切り替えるものであることが望ましい。
【００３３】
つまり、本発明の複合機では、原稿が載置されていない時に、画像情報が格納されていない外部記憶装置が装着された場合、その後、原稿が載置され、第一モードが利用される可能性が高いため、第一モードに対応した操作環境へと切り替える。このため、本発明の複合機によれば、モードを切り替える操作を省略可能なため、利便性を向上させることができる。
【００３４】
また、請求項１３に記載の複合機は、画像情報を読み出すモード、画像情報を書き込むモード、及び画像情報を印刷するモードのうち、少なくともいずれか二つを有するものであり、外部記憶装置検知手段が装着部に装着される外部記憶装置の有無を検知し、制御手段が外部記憶装置検知手段による検知結果に基づいて、少なくともいずれか一つのモードを実行するように制御する。
【００３５】
したがって、このように構成された複合機によれば、外部記憶装置の有無に基づき、少なくともいずれか一つのモードを自動的に実行するため、使用者が、モードを切り替えたり、モードの設定を行ったり、選択されたモードによる動作を開始させたりすることなく、複合機を使用者が望むモードに応じた操作環境で実行することができる。この結果、使用者にとって使い勝手の良い複合機とすることができる。
【００３６】
なお、制御手段は、選択したモードにて、各種操作ボタンや表示パネル等を備えた操作部が提供する操作環境を、当該モードに対応した操作環境に切り替える動作を行うように制御しても良いし、画像情報を読み出す動作、画像情報を書き込む動作、あるいは画像情報を印刷する動作を実行するように制御してもよい。
【００３７】
さらに、請求項１４に記載の複合機は、画像情報を読み出すモード、画像情報を書き込むモード、及び画像情報を印刷するモードのうち、少なくともいずれか二つを有するものであり、原稿検知手段が載置部に載置される原稿の有無を検知し、制御手段が原稿検知手段による検知結果に基づいて、少なくともいずれか一つのモードを実行するように制御する。
【００３８】
したがって、このように構成された複合機によれば、原稿の有無に基づき、少なくともいずれか一つのモードを自動的に実行するため、使用者が、モードを切り替えたり、モードの設定を行ったり、選択されたモードによる動作を開始させたりすることなく、複合機を使用者が望むモードに応じた操作環境で実行することができる。この結果、使用者にとって使い勝手の良い複合機とすることができる。
【００３９】
なお、制御手段は、選択したモードにて、各種操作ボタンや表示パネル等を備えた操作部が提供する操作環境を、当該モードに対応した操作環境に切り替える動作を行うように制御しても良いし、画像情報を読み出す動作、画像情報を書き込む動作、あるいは画像情報を印刷する動作を実行するように制御してもよい。
【発明を実施するための最良の形態】
【００４０】
以下、本発明の実施形態について図面と共に説明する。
［第一実施形態］
〈装置全体の構成〉
図１は、本発明を適用した複合機の外観を示す斜視図であり、図２は、複合機に設けられた本体カバーを開いた状態の斜視図である。
【００４１】
まず、複合機１は、少なくとも、イメージスキャナ、プリンタ、コピー、ファクシミリとしてのモードを備えたものである。
複合機１は、印刷される用紙１８（図３参照）を給紙する用紙トレー１７と、用紙トレー１７から供給された用紙１８に、原稿１９（本発明の原稿に相当、図２参照）の情報を読み取る等して得られた画像を形成し印刷する本体１０と、本体１０の上面を完全に覆うように、本体１０に開閉可能に支持された本体カバー１２と、を備えている。
【００４２】
本体１０は、原稿１９に記載された情報を読み取る（以下、原稿１９を読み取るとする）原稿読取部４０（図４参照）と、原稿読取部４０で読み取った情報から画像を形成し、用紙１８に印刷する画像形成部２（図３参照）と、複合機１を使用する際に必要な情報を使用者が入力する操作部１４（本発明の設定手段の一例）と、を備えている。そして、原稿読取部４０、画像形成部２は、本体ケース１１内に収納されている。
【００４３】
また、本体ケース１１は、原稿読取部４０に情報を読み取られる原稿１９を配置する読取面１１ａと、用紙トレー１７を介さずに画像形成部２に用紙１８を供給するための手差給紙部８と、画像形成部２で印刷された用紙１８が排出される用紙排出部７と、を有している。
【００４４】
そして、読取面１１ａは、ガラス等の光を透過する素材によって形成された板材であり、本体カバー１２と相対する本体ケース１１の上面に固定されている。
また、操作部１４（本発明の操作部に相当）は、複数のモードのうち使用者が望むモードを選択するための動作選択キー１４ａと、使用者が選択したモードを実行するためのスタートキー１４ｂと、複合機１の状態等を表示するための表示部１５と、を備えている。
【００４５】
動作選択キー１４ａは、複合機１に備えられたモードの中から、使用者が使用したいモードを選択するためのものであり、具体的には、コピーモードを選択するためのコピーキーやファクシミリモードを選択するためのファクシミリキー、スキャナモードを選択するためのスキャナキー等が設けられている。
【００４６】
また、表示部１５は、押下されることにより印刷等に必要な設定（即ち、情報）を入力可能に構成された液晶パネル（いわゆる、タッチパネル）である。
なお、使用者が動作選択キー１４ａを操作することによって使用者が望むモードが選択されると、選択されたモードに対応する画面やキーの役割付け等が行われ、これによって、操作部１４が提供する操作環境の切り替えが行われる。
【００４７】
〈画像形成部の構成について〉
次に、複合機１の本体１０内の概略構成を図３に示す断面図を用いて、画像形成部２について説明する。
【００４８】
画像形成部２は、レーザー光を照射し画像を形成するスキャナユニット６０、スキャナユニット６０で形成された画像を用紙１８に転写するプロセスカートリッジ６、用紙１８に転写された画像を定着させる定着ユニット７０、を備えている。
【００４９】
このうち、スキャナユニット６０は、後述する感光ドラム８０上に静電潜像を形成するためのレーザ光を発光するレーザーダイオード（図示せず）と、レーザーダイオードが発光するレーザー光を反射するように回転駆動されるポリゴンミラー６１と、レーザー光を集光するレンズ６２、６３及び反射ミラー６４、６５、６６等の光学器と、を備えている。つまり、スキャナユニット６０では、レーザーダイオードが発光するレーザー光がポリゴンミラー６１により偏向され、光学器により集光、かつ光路の変更後、感光ドラム８０の表面に高速走査にて照射される。
【００５０】
また、プロセスカートリッジ６は、画像形成プロセス（帯電、現像、転写）を行うための構成を備えたカートリッジであり、ドラムカートリッジ４と、ドラムカートリッジ４に着脱自在に装着され、トナー（図示せず）を収納する現像カートリッジ５０と、から構成されている。
【００５１】
そして、ドラムカートリッジ４は、レーザー光の被照射体であり、用紙１８に転写されるトナー画像が形成される感光ドラム８０と、感光ドラム８０を帯電させる帯電器８２と、感光ドラム８０上のトナー画像を用紙１８に転写する転写ローラー８１と、を備えている。つまり、感光ドラム８０上のトナー画像は、感光ドラム８０と転写ローラー８１との間を通過する用紙１８に転写される。
【００５２】
また、定着ユニット７０は、加熱用ローラ７１と、押圧ローラ７２とを備え、感光ドラム８０と転写ローラー８１との圧接部において転写されたトナー画像が、加熱用ローラ７１と押圧ローラ７２との間を搬送される時に、加熱かつ押圧されることにより、用紙１８に定着されるように構成されている。
【００５３】
つまり、画像形成部２では、スキャナユニット６０から照射されたレーザー光により形成された画像を、用紙トレー１７から供給された用紙１８に、プロセスカートリッジ６を通過する時に転写し、定着ユニット７０を通過する時に定着させる。
【００５４】
〈本体カバー及び原稿読取部の構成〉
次に、図４は、本体カバー１２及び原稿読取部４０の構成を示した概略断面図である。
本体カバー１２は、原稿読取部４０に読み取られる前の原稿１９を載置する載置部２１と、原稿読取部４０に読み取られた後の原稿１９を集積する集積部３１と、載置部２１から読取面１１ａを経由して（即ち、原稿自動搬送読取位置３で保持された原稿読取部４０に原稿１９を読み取らせた後）集積部３１へと原稿１９を搬送する搬送部２５と、を備えている。以下、載置部２１、集積部３１、搬送部２５を総称して原稿自動搬送装置５とする。
【００５５】
また、図４に示すように、原稿読取部４０は、原稿１９に対して光を照射する光源４３と、原稿１９によって反射された反射光を集光するミラー及びレンズ等の光学素子群４２と、原稿１９から情報を読み取るためのイメージセンサー４１と、を備えている。つまり、原稿読取部４０は、光源４３から光が照射され、原稿１９によって反射された反射光を光学素子群４２によって集光し、集光された反射光をイメージセンサー４１によって認識することにより原稿１９を読み取るように構成されている。
【００５６】
さらに、原稿読取部４０は、原稿自動搬送読取位置３と対面する位置において、原稿１９の読み取りが可能であり、かつ図示しない原稿読取部駆動機構により、読取面１１ａに沿った本体ケース１１の長手方向（図４の左右方向）への移動が可能に構成されている。
【００５７】
つまり、原稿自動搬送装置５を用いて原稿１９の読み取りを行う際には、原稿読取部４０を、原稿自動搬送読取位置３に対面する位置に保持し、原稿自動搬送装置５によって原稿自動搬送読取位置３を通過するように搬送される原稿１９から、その原稿１９の全情報を読み取る。
【００５８】
また、読取面１１ａを覆うように配置された原稿１９の読み取りを行う（いわゆる、フラットベット型として使用する）際には、原稿読取部４０は、原稿読取部駆動機構によって移動されながら、読取面１１ａに配置された原稿１９の全情報を読み取る。
【００５９】
〈原稿検知センサーの構成〉
次に、原稿読取部４０に読み取られる原稿１９が配置されていることを検知する原稿検知センサーについて図４を用いて説明する。
【００６０】
原稿検知センサー（本発明の原稿検知手段の一例、図５参照）９２は、載置部２１に原稿１９が載置されていることを検知する載置部検知センサー２４と、読取面１１ａに原稿１９が配置されていることを検知する読取面検知センサー３５と、からなる。
【００６１】
載置部検知センサー２４及び読取面検知センサー３５は、それぞれ、発光部２４ａと受光部２４ｂ、発光部３５ａと受光部３５ｂからなる光センサーである。そして、発光部２４ａと受光部２４ｂ、発光部３５ａと受光部３５ｂは、それぞれ、載置部２１または読取面１１ａに配置された原稿１９によって、発光部２４ａ、３５ａから受光部２４ｂ、３５ｂに向かう光が遮られるように対向配置されている。
【００６２】
ただし、読取面検知センサー３５は、本体ケース１１内の原稿読取部４０が移動する移動経路から外れた位置に受光部３５ｂが配置され、本体カバー１２内に発光部３５ａが配置されている。つまり、読取面検知センサー３５は、本体カバー１２が閉じられた際に、発光部３５ａから照射された光を受光部３５ｂが受光するように構成されている。
【００６３】
このため、原稿検知センサー９２では、その設置位置に原稿１９が存在していない時には、発光部２４ａ、３５ａから照射された光が受光部２４ｂ、３５ｂで検知されるため、受光部２４ｂ、３５ｂからは、信号レベルの大きな受光信号が得られる。また、原稿検知センサー９２の設置位置に原稿１９が存在している時には、原稿１９に遮られ、発光部２４ａ、３５ａから照射された光が受光部２４ｂ、３５ｂで検知されないため、受光部２４ｂ、３５ｂからは、信号レベルの小さな受光信号が得られる。
【００６４】
つまり、原稿検知センサー９２は、受光部２４ｂ、３５ｂから出力される受光信号の信号レベルの違いに基づき、後述するＣＰＵ（図５参照）１０３が原稿１９の有無を認識するように構成されている。
【００６５】
〈電気的構成に関する説明〉
次に、図５は、複合機１の電気的構成を示すブロック図である。
複合機１には、パーソナルコンピュータ等の外部機器（図示せず）に接続するためのネットワークインターフェース（ネットワークＩ／Ｆ）１０８と、電話回線に接続するためのファクシミリＩ／Ｆ（ファクシミリインターフェース）１０４と、画像データを読み書き可能な外部メモリ１０５（本発明の外部記憶装置の一例）が着脱される接続部１０６（本発明の装着部の一例）と、複合機１の様々な駆動を制御するための処理プログラムを記憶するＲＯＭ１０１と、処理結果等を一時的に記憶するＲＡＭ１０２と、電源がオフになっても保存しておく必要のあるデータを記憶するＮＶＲＡＭ（不揮発性メモリ）１０７と、ＲＯＭ１０１に記憶された処理プログラムを実行するＣＰＵ１０３と、が備えられている。
【００６６】
さらに、ＣＰＵ１０３には、原稿読取部４０、画像形成部２、表示部１５に画像を表示させる表示駆動部９１、操作部１４が操作されたことを検知する操作検知部９０、原稿検知センサー９２、が接続されている。
【００６７】
接続部１０６は、外部メモリ１０５が装着されると、外部メモリ１０５に対し通電するように構成されていると共に、外部メモリ１０５が装着されたことを検知する接続検知部（本発明の外部記憶装置検知手段の一例）９３を備えている。なお、外部メモリ１０５に記憶される画像データとしては、ＪＰＥＧ、ＴＩＦＦ等の汎用的な画像フォーマットを持つものや、一般的なワープロソフトにより作成されたものやＰＤＦ形式等の文書データ、プリントドライバが出力した印刷データをファイル化したもの、などがある。
〈動作モードについて〉
次に、複合機１が有する動作モードについて説明する。
【００６８】
複合機１は、少なくとも、イメージスキャナ、プリンタ、コピー、ファクシミリとしてのモードを備えており、それらのモードのうち、少なくとも一つのモードを含んだ一連の処理を実行するための動作モードが、予め複数種類用意されている。
【００６９】
この動作モードとして、原稿１９から読み取った画像を画像データとして記憶するスキャナモード、画像形成部２を駆動させることにより、原稿１９から読み取った画像を用紙１８に印刷するコピーモード、原稿１９から読み取った画像を電話回線を介して送信するＦＡＸモード、複合機１のＮＶＲＡＭ１０７に格納された画像データに基づく画像を用紙１８に印刷するプリントモードが用意されている。
【００７０】
また、他のモードとして、原稿１９から読み取った画像を画像データとして、接続部１０６に接続された外部メモリ１０５に記憶するスキャントゥメモリモード（本発明の第一モードの一例）、接続部１０６に接続された外部メモリ１０５から画像データを読み込み、画像データに基づく画像を用紙１８に印刷するダイレクトプリントモード（本発明の第二モードの一例）、が用意されている。
【００７１】
さらに、他のモードとして、上記複数種類のモードの中から一つが選択され、複合機１が起動された際に移行するモードであるデフォルトモード（本発明の第四モードの一例、本実施形態ではプリントモードとする）、スキャナモードまたはコピーモード等の原稿１９から画像データを読み取る処理を含むモードであり、複合機１の使用者が好みで選択するユーザー規定モード（本発明の第三モードの一例、本実施形態ではコピーモードとする）、が用意されている。
【００７２】
ただし、ユーザー規定モードは、複合機１の使用者等が操作部１４を操作することにより、複合機１に用意されたスキャントゥメモリモードやダイレクトプリントモード以外のモードの中から選択され、予め設定されているものである。さらに、デフォルト動作モードは、複合機１の使用者等が操作部１４を操作することにより、複合機１に用意された複数のモードの中から選択され、予め設定されているものである。
【００７３】
そして、これらのモードには、表示部１５に表示され、それぞれのモードに対応する処理を実行するために必要な設定を入力する設定画面が用意されている。
具体的には、スキャナモードでは、記憶する画像データの形式等、コピーモードでは、印刷する用紙の枚数等、プリントモードでは、印刷する画像データの指定や印刷枚数等、ＦＡＸモードでは、送信先等、スキャントゥメモリモードでは、記憶する画像データの保存形式や保存先のフォルダ等、ダイレクトプリントモードでは、外部メモリに記憶された画像データの中から、読み込む画像データの指定や印刷する枚数等、が設定画面を介して入力される。
【００７４】
そして、ＣＰＵ１０３は、原稿検知センサー９２や接続検知部９３から得られる情報に基づき、予め用意された複数種類のモードの中から一つのモードを選択し、操作部１４が提供する操作環境を切り替えるモード切替処理を実行する。さらに、ＣＰＵ１０３は、選択されたモードに対応した操作環境に切り替えられたスタートキー１４ｂが押下された場合、選択されたモードに対応した操作環境に切り替えられた表示部１５の画面を介して入力される各種設定に基づき、そのモードに対応する処理を実行する。
【００７５】
ただし、動作選択キー１４ａが押下されることにより選択されたモードは、前もってモード切替処理で選択されたモードよりも優先されるように設定されている。
〈モード切替処理について〉
次に、ＣＰＵ１０３が実行するモード切替処理について、図６に示すフローチャートを用いて説明する。
【００７６】
このモード切替処理は、複合機１の電源がオンになった時（即ち、複合機１が起動された時）に実行されるものである。そして、モード切替処理が実行されると、図６に示すように、まず、Ｓ２１０では、複合機１を構成する画像形成部２や原稿読取部４０が動作可能な状態となるように、動作の準備を実行させる周知の起動処理を実行する。
【００７７】
続くＳ２２０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれにも原稿１９が配置されていないものと判断した場合、Ｓ２３０へと進む。
【００７８】
そのＳ２３０では、接続検知部９３の検知結果を取得し、接続部１０６に外部メモリ１０５が接続されているか否かを判定する。そして、判定の結果、外部メモリ１０５が接続されていないものと判断した場合、Ｓ２４０へと進む。
【００７９】
そのＳ２４０では、モードをデフォルトモードへと切り替え、デフォルトモードにおいてモード切替処理を行うデフォルトモード処理を実行する。
また、Ｓ２３０における判定の結果、外部メモリ１０５が接続されているものと判断した場合、Ｓ２５０へと進む。そして、Ｓ２５０では、モードをダイレクトプリントモードへと切り替え、ダイレクトプリントモードにおいてモード切替処理を行うダイレクトプリントモード処理を実行する。
【００８０】
なお、Ｓ２２０における判定の結果、載置部２１または読取面１１ａのうち、少なくとも一方に原稿１９が配置されているものと判断した場合、Ｓ２６０へと進む。
そしてＳ２６０では、接続検知部９３の検知結果を取得し、接続部１０６に外部メモリ１０５が接続されているか否かを判定する。そして、判定の結果、外部メモリ１０５が接続されているものと判断した場合、Ｓ２７０へと進む。
【００８１】
そのＳ２７０では、モードをスキャントゥメモリモードへと切り替え、スキャントゥメモリモードにおいてモード切替処理を行うスキャントゥメモリモード処理を実行する。
また、Ｓ２６０における判定の結果、外部メモリ１０５が接続されていないものと判断した場合、Ｓ２８０へと進む。そして、Ｓ２８０では、モードをユーザー規定モードへと切り替え、ユーザー規定モードにおいてモード切替処理を行うユーザー規定モード処理を実行する。
〈デフォルトモード処理について〉
次に、ＣＰＵ１０３がモード切替処理のＳ２４０で実行するデフォルトモード処理について図７に示すフローチャートを用いて説明する。
【００８２】
このデフォルトモード処理が起動されると、まず、Ｓ３１０において、表示駆動部９１を駆動し、デフォルトモードに対応した操作環境に切り替えた設定画面（本実施形態では、プリント設定画面）を表示部１５に表示する。
【００８３】
続く、Ｓ３２０では、接続検知部９３の検知結果を取得し、接続部１０６に外部メモリ１０５が接続されているか否かを判定する。そして、判定の結果、外部メモリ１０５が接続されているものと判断した場合、Ｓ３５０へと進む。
【００８４】
そのＳ３５０では、モードをダイレクトプリントモードへと切り替え、ダイレクトプリントモード処理へと移行する。
また、Ｓ３２０における判定の結果、外部メモリ１０５が接続されていないものと判断した場合、Ｓ３３０へと進む。
【００８５】
そして、Ｓ３３０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれか、または両方に原稿１９が配置されているものと判断した場合、Ｓ３４０へと進む。
【００８６】
そのＳ３４０では、モードをユーザー規定モードへと切り替え、ユーザー規定モード処理へと移行する。
なお、Ｓ３３０における判定の結果、載置部２１または読取面１１ａのいずれにも原稿１９が配置されていないものと判断した場合、Ｓ３６０へと進む。
【００８７】
そして、Ｓ３６０では、プリントモードを実行するか否かを判定し、判定の結果、プリントモードを実行するものと判断した場合には、Ｓ３７０へと進む。つまり、プリントモードを実行するために必要な、複合機１内に蓄積されている画像データの指定や印刷枚数等の情報が入力され、かつスタートキー１４ｂが押下されたか否かを判定し、判定の結果、複合機１内に蓄積されている画像データの指定や印刷枚数等の情報が入力され、かつスタートキー１４ｂが押下された場合には、Ｓ３７０へと進む。
【００８８】
そのＳ３７０では、プリントモードを実行し、指定された画像データや入力された印刷枚数等に従って、複合機１内に蓄積されていた画像データを印刷する。そして、Ｓ３１０へと戻る。
【００８９】
また、Ｓ３６０での判定の結果、プリントモードを実行しないものと判断した場合、Ｓ３２０へと戻る。つまり、複合機１内に蓄積されている画像データの指定や印刷枚数等の情報が入力されること、及び、スタートキー１４ｂが押下されることのうち、少なくともいずれか一つを複合機１の使用者が実行しない場合には、Ｓ３２０へと戻る。
〈ダイレクトプリント処理について〉
次に、ＣＰＵ１０３がモード切替処理のＳ２５０で実行するダイレクトプリントモード処理について図８に示すフローチャートを用いて説明する。
【００９０】
このダイレクトプリントモード処理が起動されると、まず、Ｓ４１０において、表示駆動部９１を駆動し、ダイレクトプリントモードに対応した操作環境に切り替えた設定画面を表示部１５に表示する。
【００９１】
続く、Ｓ４２０では、接続検知部９３の検知結果を取得し、接続部１０６に外部メモリ１０５が接続されているか否かを判定する。そして、判定の結果、外部メモリ１０５が接続されていないものと判断した場合、Ｓ４５０へと進む。そのＳ４５０では、モードをデフォルトモードへと切り替え、デフォルトモード処理へと移行する。
【００９２】
また、Ｓ４２０における判定の結果、外部メモリ１０５が接続されているものと判断した場合、Ｓ４３０へと進む。
そして、Ｓ４３０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれか、または両方に原稿１９が配置されているものと判断した場合、Ｓ４４０へと進む。
【００９３】
そのＳ４４０では、モードをスキャントゥメモリモードへと切り替え、スキャントゥメモリモード処理へと移行する。
なお、Ｓ４３０における判定の結果、載置部２１または読取面１１ａのいずれにも原稿１９が配置されていないものと判断した場合、Ｓ４６０へと進む。
【００９４】
そして、Ｓ４６０では、ダイレクトプリントモードを実行するか否かを判定し、判定の結果、ダイレクトプリントモードを実行するものと判断した場合には、Ｓ４７０へと進む。つまり、ダイレクトプリントモードを実行するために必要な、読み込む画像データの指定や印刷枚数等の情報が入力され、かつスタートキー１４ｂが押下されたか否かを判定し、判定の結果、印刷枚数等の情報が入力され、かつスタートキー１４ｂが押下された場合には、Ｓ４７０へと進む。
【００９５】
そのＳ４７０では、ダイレクトプリントモードを実行し、指定された画像データを外部メモリ１０５から読み込み、入力された印刷枚数だけ印刷する。そして、Ｓ４１０へと戻る。
【００９６】
また、Ｓ４６０での判定の結果、ダイレクトプリントモードを実行しないものと判断した場合、Ｓ４２０へと戻る。つまり、読み込む画像データの指定や印刷枚数等の情報が入力されること、及び、スタートキー１４ｂが押下されることのうち、少なくともいずれか一つを複合機１の使用者が実行しない場合には、Ｓ４２０へと戻る。
〈スキャントゥメモリモード処理について〉
次に、ＣＰＵ１０３がモード切替処理のＳ２６０で実行するスキャントゥメモリモード処理について図９に示すフローチャートを用いて説明する。
【００９７】
このスキャントゥメモリモード処理が起動されると、まず、Ｓ５１０において、表示駆動部９１を駆動し、スキャントゥメモリモードに対応した操作環境に切り替えた設定画面を表示部１５に表示する。
【００９８】
続く、Ｓ５２０では、接続検知部９３の検知結果を取得し、接続部１０６に外部メモリ１０５が接続されているか否かを判定する。そして、判定の結果、外部メモリ１０５が接続されていないものと判断した場合、Ｓ５５０へと進む。そのＳ５５０では、モードをユーザー規定モードへと切り替え、ユーザー規定モード処理へと移行する。
【００９９】
また、Ｓ５２０における判定の結果、外部メモリ１０５が接続されているものと判断した場合、Ｓ５３０へと進む。
そのＳ５３０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれにも原稿１９が配置されていないものと判断した場合、Ｓ５４０へと進む。
【０１００】
そのＳ５４０では、モードをダイレクトプリントモードへと切り替え、ダイレクトプリントモード処理へと移行する。
なお、Ｓ５３０における判定の結果、載置部２１または読取面１１ａのいずれか、または両方に原稿１９が配置されているものと判断した場合、Ｓ５６０へと進む。
【０１０１】
そして、Ｓ５６０では、スキャントゥメモリモードを実行するか否かを判定し、判定の結果、スキャントゥメモリモードを実行するものと判断した場合には、Ｓ５７０へと進む。つまり、スキャントゥメモリモードを実行するために必要な、画像データの保存形式や保存先等の情報が入力され、かつスタートキー１４ｂが押下されたか否かを判定し、判定の結果、保存先等の情報が入力され、かつスタートキー１４ｂが押下された場合には、Ｓ５７０へと進む。
【０１０２】
そのＳ５７０では、スキャントゥメモリモードを実行し、原稿１９から読み取った画像を、入力された保存形式の画像データとして、外部メモリ１０５の入力された保存先に記憶する。そして、Ｓ５１０へと戻る。
【０１０３】
また、Ｓ５６０での判定の結果、スキャントゥメモリモードを実行しないものと判断した場合、Ｓ５２０へと戻る。つまり、画像データの保存形式や保存先等の情報が入力されること、及び、スタートキー１４ｂが押下されることのうち、少なくともいずれか一つを複合機１の使用者が実行しない場合には、Ｓ５２０へと戻る。
〈ユーザー規定モード処理について〉
次に、ＣＰＵ１０３がモード切替処理のＳ２７０で実行するユーザー規定モード処理について図１０に示すフローチャートを用いて説明する。
【０１０４】
このユーザー規定モード処理が起動されると、まず、Ｓ６１０において、表示駆動部９１を駆動し、ユーザー規定モードに対応した操作環境に切り替えた設定画面（本実施形態では、コピー設定画面）を表示部１５に表示する。
【０１０５】
続く、Ｓ６２０では、接続検知部９３の検知結果を取得し、接続部１０６に外部メモリ１０５が接続されているか否かを判定する。そして、判定の結果、外部メモリ１０５が接続されているものと判断した場合、Ｓ６５０へと進む。そのＳ６５０では、モードをスキャントゥメモリモードへと切り替え、スキャントゥメモリモード処理へと移行する。
【０１０６】
また、Ｓ６２０における判定の結果、外部メモリ１０５が接続されていないものと判断した場合、Ｓ６３０へと進む。
そのＳ６３０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれにも原稿１９が配置されていないものと判断した場合、Ｓ６４０へと進む。
【０１０７】
そのＳ６４０では、モードをデフォルトモードへと切り替え、デフォルトモード処理へと移行する。
なお、Ｓ６３０における判定の結果、載置部２１または読取面１１ａいずれか、または両方に原稿１９が配置されているものと判断した場合、Ｓ６６０へと進む。
【０１０８】
そして、Ｓ６６０では、コピーモードを実行するか否かを判定し、判定の結果、コピーモードを実行するものと判断した場合には、Ｓ６７０へと進む。つまり、コピーモードを実行するために必要な、印刷する用紙の枚数等の情報が入力され、かつスタートキー１４ｂが押下されたか否かを判定し、判定の結果、印刷する用紙の枚数等の情報が入力され、かつスタートキー１４ｂが押下された場合には、Ｓ６７０へと進む。
【０１０９】
そのＳ６７０では、コピーモードを実行し、原稿１９から読み取った画像を、入力された枚数だけ印刷する。そして、Ｓ６１０へと戻る。
また、Ｓ６６０での判定の結果、コピーモードを実行しないものと判断した場合、Ｓ６２０へと戻る。つまり、印刷する用紙の枚数等の情報が入力されること、及び、スタートキー１４ｂが押下されることのうち、少なくともいずれか一つを複合機１の使用者が実行しない場合には、Ｓ６２０へと戻る。
【０１１０】
ここで、原稿の有無と外部メモリの有無と、モード切替処理によって選択されるモードとの関係を図１６に示す。
つまり、図１６に示すように、接続部１０６に外部メモリ１０５が接続され、載置部２１または読取面１１ａに原稿１９が配置されている場合、外部メモリ１０５と原稿１９との両方を使用する可能性が高いため、ＣＰＵ１０３は、モード切替処理を実行することにより、両方を使用するスキャントゥメモリモードへと自動で切り替える。
【０１１１】
また、接続部１０６に外部メモリ１０５が接続され、載置部２１または読取面１１ａに原稿１９が配置されていない場合、外部メモリ１０５のみを用いる可能性が高いため、ＣＰＵ１０３は、モード切替処理を実行することにより、外部メモリ１０５を使用するダイレクトプリントモードへと自動で切り替える。
【０１１２】
さらに、接続部１０６に外部メモリ１０５が接続されておらず、載置部２１または読取面１１ａに原稿１９が配置されている場合、原稿１９のみを用いる可能性が高いため、ＣＰＵ１０３は、モード切替処理を実行することにより、原稿１９を使用するユーザー規定モードへと自動で切り替える。
【０１１３】
そして、接続部１０６に外部メモリ１０５が接続されておらず、載置部２１または読取面１１ａに原稿１９が配置されていない場合、ＣＰＵ１０３は、モード切替処理を実行することにより、デフォルトモードへと自動で切り替える。
〈第一実施形態の効果〉
以上説明したように、第一実施形態の複合機１では、接続部１０６への外部メモリ１０５の接続状態や、載置部２１または読取面１１ａへの原稿１９の配置状態から、使用者が望むモードを予測して、操作部１４が提供する操作環境を、予測したモードに対応する操作環境を自動で切り替えるようにされている。したがって、複合機１によれば、モードを切り替えるための操作を省略することができ、使い勝手を向上させることができる。
【０１１４】
特に、複合機１のユーザー規定モード及びデフォルトモードは、複合機１の使用者自身により設定することが可能なため、次に実施される可能性の高いモードへと切り替えることができる。
【０１１５】
［第二実施形態］
次に、第二実施形態について説明する。
第一実施形態に示した複合機１と第二実施形態で説明する複合機とは、デフォルトモード処理が異なるのみである。このため、第一実施形態に示す複合機１と同様の構成及び処理については、同一の符号を付して、説明を省略し、第一実施形態とは異なるデフォルトモード処理を中心に説明する。
【０１１６】
図１１は、第二実施形態におけるデフォルトモード処理を示すフローチャートである。
このデフォルトモード処理が起動されると、まず、Ｓ７１０において、表示駆動部９１を駆動し、デフォルトモードとして設定されたモード（本実施形態では、プリントモードとする）に対応した操作環境に切り替えた設定画面を表示部１５に表示する。
【０１１７】
続く、Ｓ７２０では、接続検知部９３の検知結果を取得し、接続部１０６に外部メモリ１０５が接続されているか否かを判定する。そして、判定の結果、外部メモリ１０５が接続されていないものと判断した場合、Ｓ７３０へと進む。
【０１１８】
そのＳ７３０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれか、または両方に原稿１９が配置されているものと判断した場合、Ｓ７４０へと進む。
【０１１９】
そのＳ７４０では、モードをユーザー規定モードへと切り替え、ユーザー規定モード処理へと移行する。
さらに、Ｓ７２０における判定の結果、外部メモリ１０５が接続されているものと判断した場合、Ｓ７５０へと進む。
【０１２０】
そのＳ７５０では、接続部１０６に接続された外部メモリ１０５に画像データが記憶されているか否かを判定する（本発明の格納検知手段の一例）。具体的には、外部メモリ１０５に記憶された全てのデータに対して、データの属性を表す識別子（即ち、拡張子）やデータの中身を解析することにより、少なくとも一つの印刷可能な画像データが記憶されているか否かを判定する。
【０１２１】
そして、Ｓ７５０における判定の結果、外部メモリ１０５に印刷可能な画像データが記憶されているものと判断した場合、Ｓ７６０へと進む。そのＳ７６０では、モードをダイレクトプリントモードへと切り替え、ダイレクトプリントモード処理へと移行する。
【０１２２】
また、Ｓ７５０における判定の結果、外部メモリ１０５に画像データが記憶されていないものと判断した場合、Ｓ７７０へと進む。そのＳ７７０では、モードをスキャントゥメモリモードへと切り替え、スキャントゥメモリモード処理へと移行する。
【０１２３】
なお、Ｓ７３０における判定の結果、載置部２１または読取面１１ａのいずれにも原稿１９が配置されていないものと判断した場合、Ｓ７８０へと進む。
そして、Ｓ７８０では、プリントモードを実行するか否かを判定し、判定の結果、プリントモードを実行するものと判断した場合には、Ｓ７９０へと進む。つまり、プリントモードを実行するために必要な、複合機１内に蓄積されている画像データの指定や印刷枚数等の情報が入力され、かつスタートキー１４ｂが押下されたか否かを判定し、判定の結果、複合機１内に蓄積されている画像データの指定や印刷枚数等の情報が入力され、かつスタートキー１４ｂが押下された場合には、Ｓ７９０へと進む。
【０１２４】
そのＳ７９０では、プリントモードを実行し、指定された画像データや入力された印刷枚数等に従って、複合機１内に蓄積されていた画像データを印刷する。そして、Ｓ７１０へと戻る。
【０１２５】
また、Ｓ７８０での判定の結果、プリントモードを実行しないものと判断した場合、Ｓ７２０へと戻る。つまり、複合機１内に蓄積されている画像データの指定や印刷枚数等の情報が入力されること、及び、スタートキー１４ｂが押下されることのうち、少なくともいずれか一つを複合機１の使用者が実行しない場合には、Ｓ７２０へと戻る。
〈第二実施形態の効果〉
以上説明したように第二実施形態の複合機では、デフォルトモード処理において外部メモリ１０５が接続された際に、その外部メモリ１０５に画像データが記憶されていなければ、その後載置部２１または読取面１１ａに原稿が配置され、スキャントゥメモリモードが実行される可能性が高いものとして、モードをスキャントゥメモリモードへと自動的に切り替える。したがって、第二実施形態の複合機によれば、第一実施形態の複合機と比べ、使用者の望むモードへと切り替わる可能性をより高いものとすることができ、結果として、複合機の使い勝手をよくすることができる。
【０１２６】
[第三実施形態]
次に、第三実施形態について説明する。
第一実施形態に示した複合機１と第三実施形態で説明する複合機とは、モード切替処理を実行することにより自動で行われる動作が異なるのみである。このため、第一実施形態に示す複合機１と同様の構成処理については、同一の符号を付して、説明を省略し、第一実施形態とは異なる処理を中心に説明する。なお、本実施形態では、デフォルトモードとしてプリントモードが、ユーザー規定モードとしてコピーモードが設定されている。
〈デフォルトモード処理について〉
図１２は、第三実施形態におけるデフォルトモード処理を示すフローチャートである。
【０１２７】
このデフォルトモード処理が起動されると、まず、Ｓ８１０において、表示駆動部９１を駆動し、デフォルトモードに対応した操作環境に切り替えた画面（本実施形態では、プリント画面）を表示部１５に表示する。
【０１２８】
Ｓ８２０では、画像データが複合機１のＮＶＲＡＭ１０７に蓄積されているか否かを判定し、判定の結果、画像データが蓄積されていると判断した場合には、Ｓ８３０へと進む。また、画像データが蓄積されていないと判断した場合には、Ｓ８４０へと進む。
【０１２９】
そのＳ８３０では、プリントモードを実行し、複合機１内に蓄積されていた画像データを印刷する。そして、Ｓ８４０へと進む。
続く、Ｓ８４０では、接続検知部９３の検知結果を取得し、接続部１０６に外部メモリ１０５が接続されているか否かを判定する。そして、判定の結果、外部メモリ１０５が接続されているものと判断した場合、Ｓ８７０へと進む。
【０１３０】
そのＳ８７０では、モードをダイレクトプリントモードへと切り替え、ダイレクトプリントモード処理へと移行する。
また、Ｓ８４０における判定の結果、外部メモリ１０５が接続されていないものと判断した場合、Ｓ８５０へと進む。
【０１３１】
そして、Ｓ８５０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれか、または両方に原稿１９が配置されているものと判断した場合、Ｓ８６０へと進む。
【０１３２】
そのＳ８６０では、モードをユーザー規定モードへと切り替え、ユーザー規定モード処理へと移行する。
なお、Ｓ８５０における判定の結果、載置部２１または読取面１１ａのいずれにも原稿１９が配置されていないものと判断した場合、Ｓ８１０へと戻る。
〈ダイレクトプリントモード処理について〉
図１３は、第三実施形態におけるダイレクトプリントモード処理を示すフローチャートである。
このダイレクトプリントモード処理が起動されると、まず、Ｓ９１０において、表示駆動部９１を駆動し、ダイレクトプリントモードに対応した操作環境に切り替えた画面を表示部１５に表示する。
続くＳ９２０では、ダイレクトプリントモードを実行し、画像データを外部メモリ１０５から読み込み、読み込んだ画像データを用紙１８に印刷する。そして、Ｓ９３０へと進む。
Ｓ９３０では、接続検知部９３の検知結果を取得し、接続部１０６に外部メモリ１０５が接続されているか否かを判定する。そして、判定の結果、外部メモリ１０５が接続されていないものと判断した場合、Ｓ９６０へと進む。そのＳ９６０では、モードをデフォルトモードへと切り替え、デフォルトモード処理へと移行する。
【０１３３】
また、Ｓ９３０における判定の結果、外部メモリ１０５が接続されているものと判断した場合、Ｓ９４０へと進む。
そして、Ｓ９４０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれか、または両方に原稿１９が配置されているものと判断した場合、Ｓ９５０へと進む。
【０１３４】
そのＳ９５０では、モードをスキャントゥメモリモードへと切り替え、スキャントゥメモリモード処理へと移行する。
なお、Ｓ９４０における判定の結果、載置部２１または読取面１１ａのいずれにも原稿１９が配置されていないものと判断した場合、Ｓ９１０へと戻る。
〈スキャントゥメモリモード処理について〉
図１４は、第三実施形態におけるスキャントゥメモリモード処理を示すフローチャートである。
このスキャントゥメモリモード処理が起動されると、まず、Ｓ１０１０において、表示駆動部９１を駆動し、スキャントゥメモリモードに対応した操作環境に切り替えた画面を表示部１５に表示する。
続くＳ１０２０では、スキャントゥメモリモードを実行し、原稿１９から読み取った画像を、画像データとして、外部メモリ１０５に記憶する。そして、Ｓ１０３０へと進む。
Ｓ１０３０では、接続検知部９３の検知結果を取得し、接続部１０６に外部メモリ１０５が接続されているか否かを判定する。そして、判定の結果、外部メモリ１０５が接続されていないものと判断した場合、Ｓ１０６０へと進む。そのＳ１０６０では、モードをユーザー規定モードへと切り替え、ユーザー規定モード処理へと移行する。
【０１３５】
また、Ｓ１０３０における判定の結果、外部メモリ１０５が接続されているものと判断した場合、Ｓ１０４０へと進む。
そのＳ１０４０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれにも原稿１９が配置されていないものと判断した場合、Ｓ１０５０へと進む。
【０１３６】
そのＳ１０５０では、モードをダイレクトプリントモードへと切り替え、ダイレクトプリントモード処理へと移行する。
なお、Ｓ１０４０における判定の結果、載置部２１または読取面１１ａのいずれか、または両方に原稿１９が配置されているものと判断した場合、Ｓ１０１０へと戻る。
〈ユーザー規定モード処理について〉
図１５は、第三実施形態におけるユーザー規定モード処理を示すフローチャートである。
このユーザー規定モード処理が起動されると、まず、Ｓ１１１０において、表示駆動部９１を駆動し、ユーザー規定モードに対応した操作環境に切り替えた画面（本実施形態では、コピー画面）を表示部１５に表示する。
続くＳ１１２０では、コピーモードを実行し、原稿１９から読み取った画像を、用紙１８に印刷する。そして、Ｓ１１３０へと進む。
Ｓ１１３０では、接続検知部９３の検知結果を取得し、接続部１０６に外部メモリ１０５が接続されているか否かを判定する。そして、判定の結果、外部メモリ１０５が接続されているものと判断した場合、Ｓ１１６０へと進む。そのＳ１１６０では、モードをスキャントゥメモリモードへと切り替え、スキャントゥメモリモード処理へと移行する。
【０１３７】
また、Ｓ１１３０における判定の結果、外部メモリ１０５が接続されていないものと判断した場合、Ｓ１１４０へと進む。
そのＳ１１４０では、載置部検知センサー２４、読取面検知センサー３５から受光信号を取得し、載置部２１または読取面１１ａのうち、少なくとも一方に原稿１９が配置されているか否かを判定する。そして、判定の結果、載置部２１または読取面１１ａのいずれにも原稿１９が配置されていないものと判断した場合、Ｓ１１５０へと進む。
【０１３８】
そのＳ１１５０では、モードをデフォルトモードへと切り替え、デフォルトモード処理へと移行する。
なお、Ｓ１１４０における判定の結果、載置部２１または読取面１１ａいずれか、または両方に原稿１９が配置されているものと判断した場合、Ｓ１１１０へと進む。
〈第三実施形態の効果〉
以上説明したように第三実施形態の複合機では、モード切替処理によって使用者の望むモードへと自動的に切り替え、切り替えられたモードによる処理を自動的に実行する。したがって、第三実施形態の複合機によれば、使用者が、モードを切り替えたり、選択されたモードによる処理を開始させたりする操作を行うことなく、使用者の望むモードによる処理を実行することができる。この結果、使用者にとって使い勝手の良い複合機とすることができる。
［その他の実施形態］
以上、本発明の実施形態について説明したが、本発明は上記実施形態に限定されるものではなく、本発明の要旨を逸脱しない範囲において様々な態様にて実施することが可能である。
【０１３９】
例えば、複合機１におけるデフォルトモードは、操作部１４を操作することにより、複数種類のモードの中から一つのモードを選択して設定していたが、これに限るものではない。つまり、複合機１において使用されるモードをカウントし、使用される回数の多いモードを、デフォルトモードとして設定するようにしても良い。さらに、複合機１におけるデフォルトモードは、複合機１の使用者によって設定されるものに限らず、複合機１の製造工程において設定されても良い。
【０１４０】
また、複合機１におけるユーザー規定モードは、操作部１４を操作することにより、複合機１の使用者が好みで選択及び設定していたが、これに限るものではない。例えば、原稿１９から画像データを読み取る処理を含むモードの中で、使用回数の多いモードをユーザー規定モードとして設定しても良い。
【０１４１】
なお、複合機１におけるデフォルトモードとユーザー規定モードは、同一のモードであっても良い。
また、第二実施形態おける複合機では、外部メモリ１０５に印刷可能な画像データが記憶されているか否かを、外部メモリ１０５に記憶されたデータの拡張子に基づいて判定したが、これに限るものではない。例えば、外部メモリ１０５に記憶されたデータのヘッダーに基づいて判定しても良いし、その他の方法に基づいて判定しても良い。
【０１４２】
なお、外部メモリ１０５は、画像データを記憶できるものであれば、どのようなものでも良い。つまり、一般的なハードディスクやＵＳＢにより接続可能な記録媒体、スマートメディアやコンパクトフラッシュ（登録商標）等を用いることができる。
【図面の簡単な説明】
【０１４３】
【図１】複合機の外観構成を示す斜視図である。
【図２】本体カバーを開いた状態における複合機の斜視図である。
【図３】複合機の本体内の概略構成を示す断面図である。
【図４】複合機の本体カバー及び原稿読取部の概略構成を示す断面図である。
【図５】複合機の制御系を示すブロック図である。
【図６】モードの切り替えを行うモード切替処理について示すフローチャートである。
【図７】モード切替処理において起動されるデフォルトモード処理について示すフローチャートである。
【図８】モード切替処理において起動されるダイレクトプリントモード処理について示すフローチャートである。
【図９】モード切替処理において起動されるスキャントゥメモリモード処理について示すフローチャートである。
【図１０】モード切替処理において起動されるユーザー規定モード処理について示すフローチャートである。
【図１１】第二実施形態におけるデフォルトモード処理について示すフローチャートである。
【図１２】第三実施形態におけるデフォルトモード処理について示すフローチャートである。
【図１３】第三実施形態におけるダイレクトプリントモード処理について示すフローチャートである。
【図１４】第三実施形態におけるスキャントゥメモリモード処理について示すフローチャートである。
【図１５】第三実施形態におけるユーザー規定モード処理について示すフローチャートである。
【図１６】原稿の有無と外部メモリの有無と、モード切替処理によって選択されるモードとの関係を表す説明図である。
【符号の説明】
【０１４４】
１…複合機  ２…画像形成部  ３…原稿自動搬送読取位置  ４…ドラムカートリッジ  ５…原稿自動搬送装置  ６…プロセスカートリッジ  ７…用紙排出部  ８…手差給紙部  １０…本体  １１…本体ケース  １１ａ…読取面  １２…本体カバー  １４…操作部  １５…表示部  １７…用紙トレー  １８…用紙  １９…原稿  ２１…載置部  ２４…載置部検知センサー  ２５…搬送部  ３１…集積部  ３５…読取面検知センサー  ２４ａ、３５ａ…発光部  ２４ｂ、３５ｂ…受光部  ４０…原稿読取部  ４１…イメージセンサー  ４２…光学素子群  ４３…光源  ５０…現像カートリッジ  ６０…スキャナユニット  ６１…ポリゴンミラー  ６２…レンズ  ６４…反射ミラー  ７０…定着ユニット  ７１…加熱用ローラ  ７２…押圧ローラ  ８０…感光ドラム  ８１…転写ローラー  ８２…帯電器  ９０…操作検知部  ９１…表示駆動部  ９２…原稿検知センサー  ９３…接続検知部  １０５…外部メモリ  １０６…接続部
【図１】
2007251781.tif 000003
【図２】
2007251781.tif 000004
【図３】
2007251781.tif 000005
【図４】
2007251781.tif 000006
【図５】
2007251781.tif 000007
【図６】
2007251781.tif 000008
【図７】
2007251781.tif 000009
【図８】
2007251781.tif 000010
【図９】
2007251781.tif 000011
【図１０】
2007251781.tif 000012
【図１１】
2007251781.tif 000013
【図１２】
2007251781.tif 000014
【図１３】
2007251781.tif 000015
【図１４】
2007251781.tif 000016
【図１５】
2007251781.tif 000017
【図１６】
2007251781.tif 000018